(57)【要約】      （修正有）【課題】携帯電子装置とＰＣまたはその他の電子装置とを、ケーブルまたはメモリーカード用のアダプターを用いずに接続しデータのやり取りができる様にし、さらに、コンパクトであるが為にうっかり落として紛失してしまう可能性や外出する際に持っていくのを忘れてしまう可能性のあるＵＳＢメモリを確実に持ち歩くことができるようにする。【解決手段】ＵＳＢメモリに接続するための接続端子を備えた接続用スロットを携帯電子装置に設けることにより、ケーブルやアダプターを用いずにＵＳＢメモリを介してＰＣまたはその他の電子装置とデータのやりとりを行い、ＰＣまたはその他の電子装置と接続している時以外は常時ＵＳＢメモリが携帯電子装置本体と接続されている形状の携帯電子装置を提供することで解決する。【選択図】図１
0003112106.tif 000002
【実用新案登録請求の範囲】
【請求項１】
ＵＳＢメモリを収納するスロットを持つことを特徴とする携帯電子装置。
【請求項２】
ＵＳＢメモリを装着し当該ＵＳＢメモリに接続するための接続端子を備えた接続用スロットを持つことを特徴とする、ＵＳＢメモリを利用可能な携帯電子装置。
【請求項３】
ＵＳＢメモリを装着し当該ＵＳＢメモリに接続するための接続端子を備えた接続用スロットを持ち、前記接続端子にＵＳＢメモリを接続することで、携帯電子装置の内部回路と接続が可能となることを特徴とするＵＳＢメモリを利用可能な携帯電子装置。
【請求項４】
ＵＳＢメモリを装着し当該ＵＳＢメモリに接続するための接続端子を備えた接続用スロットを持ち、前記接続端子にＵＳＢメモリを接続することで、携帯電子装置の内部回路と接続が可能となる機能を持ち、携帯電子装置本体に内蔵されている記憶装置と上記接続端子を介して接続されたＵＳＢメモリとの間で、データのやり取りが可能となる事を特徴とするＵＳＢメモリを利用可能な携帯電子装置。
【請求項５】
携帯電子装置は携帯電話無線機であることを特徴とする請求項１〜４のいずれかに記載のＵＳＢメモリを利用可能な携帯電子装置。
【請求項６】
携帯電子装置はデジタルカメラであることを特徴とする請求項１〜４のいずれかに記載のＵＳＢメモリを利用可能な携帯電子装置。
【請求項７】
携帯電子装置は携帯ゲーム機である事を特徴とする請求項１〜４のいずれかに記載のＵＳＢメモリを利用可能な携帯電子装置。
【請求項８】
携帯電子装置はパーソナル・デジタル・アシスタント（ＰＤＡ）であることを特徴とする請求項１〜４のいずれかに記載のＵＳＢメモリを利用可能な携帯電子装置。
【請求項９】
携帯電子装置はポータブルＭＰ３プレーヤーである事を特徴とする請求項１〜４のいずれかに記載のＵＳＢメモリを利用可能な携帯電子装置。
【考案の詳細な説明】
【技術分野】
【０００１】  本考案はＵＳＢメモリを挿入することが可能なスロットを持った携帯電子装置に関するものである。
【背景技術】
【０００２】  近年、ＵＳＢ接続端子が、ＰＣに標準的に装備されるようになってきた。このＵＳＢは、高速のデータ転送が可能であり、ＰｎＰ（Ｐｌｕｇ  ＆  Ｐｌａｙ）に完全に対応し、接続した電子装置に電源の供給を行え、ＰＣの電源がＯＮの状態で接続や取り外しができるホットプラグ機能を備えている。【０００３】  また、従来のＣＤ−Ｒ、ＭＯ等の外部記憶媒体に変わって、大容量のＵＳＢメモリを用いてＰＣ内のデータの保管、共有を図るユーザーが増えている。【０００４】  一方、携帯電子装置、特に携帯電話無線機のメモリ機能や表示機能が拡張され、電話番号だけでなく、その電話番号に関連した住所や名前、着信メロディなどのデータをメモリに記録し、それらのデータを表示することができるようになっている。【０００５】  また、現在の携帯電子装置、特に携帯電話無線機はデジタルカメラやデジタルビデオカメラの機能を備えたものがあり、携帯電話無線機で撮影し又は受信した画像データを編集したり保存したりすることが求められるようになってきた。この画像データの編集や保存は、携帯電話無線機などの携帯電子装置で行うにはハードウェア資源などにより非常に限られたものになってしまっている。そのため、携帯電話無線機をケーブル等を用いてＰＣに接続し、ＰＣから携帯電話無線機のデータを読み出して編集し、再び携帯電話無線機のメモリに記録することができるソフトウェアなども販売されている。【０００６】  さらに、携帯電子装置のデータをＰＣに読み出す手段として、携帯電子装置にメモリカードを標準搭載している携帯電子装置も販売されており、ＰＣにメモリーカード読み取り用のアダプターを付け、携帯電子装置とＰＣとでデータのやり取りができる様になっている。
【考案の開示】
【考案が解決しようとする課題】
【０００７】  上記の様に、現在の携帯電子装置は多種の機能を有し、ＰＣまたはその他の電子装置とデータのやり取りを行う機会が多くなってきているが、携帯電子装置とＰＣまたはその他の電子装置とを繋ぐためには、ケーブルや、メモリーカードを用いてＰＣまたはその他の電子装置と接続を行う必要があり、特にメモリーカードは直接的にＰＣまたはその他の電子装置と接続する事が大抵はできず、アダプターを用いてＰＣまたはその他の電子装置と接続しなくてはならない。【０００８】  また、現在のＵＳＢメモリは大容量かつコンパクトで多種のＰＣとの接続が容易である為、従来の外部記憶媒体に変わって使用される機会が多くなってきており、形状がコンパクトである為に普段から日常的に持ち歩く機会が多い。しかし、現在発売されているＵＳＢメモリは接続部を保護する為のキャップが着いているものが多く、キャップをなくしてしまう可能性がある。また、クリップ付きの形状や、キーホルダー及び、携帯電話無線機のストラップとして使用する為の形状の物も存在するが、コンパクトであるが為にうっかり落として紛失してしまう可能性や外出する際に持っていくのを忘れてしまう可能性が懸念される。【０００９】  したがって、本考案の目的は携帯電子装置とＰＣまたはその他の電子装置とデータのやり取りをケーブルやアダプターを用いずにできる事とし、さらに、ＵＳＢメモリの紛失や必要な時に手元に無いといった事象を解決する携帯電子装置の形状を提供することを課題とする。
【課題を解決するための手段】
【００１０】  ＵＳＢメモリに接続するための接続端子を備えた接続用スロットを携帯電子装置に設けることにより、ＰＣまたはその他の電子装置と接続している時以外は常時ＵＳＢメモリが携帯電子装置本体と接続されている形状の携帯電子装置を提供する。
【考案の効果】
【００１１】  ＵＳＢメモリに接続するための接続端子を備えた接続用スロットを携帯電子装置に設けることで、ＵＳＢメモリと携帯電子装置が上記接続端子を介して接続され、接続されたＵＳＢメモリと携帯電子装置本体の内部回路及び内部記憶装置とＵＳＢメモリとでデータのやり取りを行い、ＵＳＢメモリを携帯電子装置から取り外しＰＣまたはその他の電子装置と接続することでデータのやり取りがケーブルやメモリーカード、メモリーカード接続用のアダプターを用いずにできる。【００１２】  ＵＳＢメモリに接続するための接続端子を備えた接続用スロットを携帯電子装置に設けることにより、ＵＳＢメモリをＰＣまたはその他の電子装置と接続している時以外は常時ＵＳＢメモリが携帯電子装置本体と接続されている状態となり、ＵＳＢメモリがコンパクトであるが為にうっかり落として紛失してしまう可能性や外出する際に持っていくのを忘れてしまう可能性を減少できる。
【考案を実施するための最良の形態】
【００１３】  本考案は携帯電子装置の形状に関するものであるので携帯電子装置が携帯電話無線機である場合を例にとり図面を参照して説明する。【００１４】  図１は本考案実施の形態の携帯電話無線機の立面図であり、図２は図１においてのＺ方向からの底面図、図３は図１においてのＹ方向からの側面図である。【００１５】  本考案を実施した携帯電話無線機１はＵＳＢメモリ接続スロット２とＵＳＢ接続端子３及びＵＳＢメモリ接続用ガイド５とで構成される。【００１６】  本考案を実施した携帯電話無線機１に接続するＵＳＢメモリ７はＵＳＢ接続端子４とＵＳＢメモリ接続用ガイド６とで構成される。【００１７】  ＵＳＢメモリ７は、ＵＳＢメモリ接続用ガイド５とＵＳＢメモリ接続用ガイド６を介してＵＳＢメモリ接続用スロット２に挿入され、ＵＳＢ接続端子３とＵＳＢ接続端子４が接続し、携帯電話無線機１にＵＳＢメモリ７は収納される。【００１８】  ＵＳＢ接続端子３とＵＳＢ接続端子４が接続されることで、携帯電子装置の内部回路及び内部記憶装置とＵＳＢメモリ７が接続され、ＵＳＢメモリ７を取り外しＰＣまたはその他の電子装置と直接接続することで、携帯電子装置のデータをＵＳＢメモリ７を介してデータのやりとりが可能となる。【００１９】  ＵＳＢメモリ７をＰＣまたはその他の電子装置と接続している時以外は常時ＵＳＢメモリ７が携帯電子装置本体と接続されているため、ＵＳＢメモリ７がコンパクトであるが為にうっかり落として紛失してしまう可能性や外出する際に持っていくのを忘れてしまう可能性を減少でき、携帯電子装置を携帯することで、ＵＳＢメモリ７も同時に携帯できることになる。
【図面の簡単な説明】
【００２０】
【図１】本考案を携帯電話無線機に実施した立面図である。
【図２】（ａ）図１におけるＺ方向からの底面図である。（ｂ）上記（ａ）からＵＳＢメモリを抜き取った状態の底面図である。
【図３】（ｃ）図１におけるＹ方向からの側面図である。（ｄ）上記（ｃ）からＵＳＢメモリを抜き取った状態の側面図である．
【符号の説明】
【００２１】１  携帯電話無線機本体
２  ＵＳＢメモリ接続用スロット
３  ＵＳＢ接続端子（雌）
４  ＵＳＢ接続端子（雄）
５  ＵＳＢメモリ接続用ガイド（雌）
６  ＵＳＢメモリ接続用ガイド（雄）
７  ＵＳＢメモリ本体
【図１】
0003112106.tif 000003
【図２】
0003112106.tif 000004
【図３】
0003112106.tif 000005